(57)【要約】  【課題】  熱処理、加圧処理を行わなくても繊維製品のしわを簡便に除去することができる、しわ除去組成物、しわ除去物品及びしわ除去方法の提供。  【解決手段】  （ａ）式（Ｉ）で表される化合物の少なくとも１種、及び（ｂ）水を含有する繊維製品のしわ除去組成物、このしわ除去組成物をスプレー容器に充填してなる繊維製品のしわ除去物品、このしわ除去組成物を繊維製品に付与する繊維製品のしわ除去方法。      Ｒ1−Ｏ−(Ｒ2−Ｏ)n−Ｒ3          （Ｉ）［式中、Ｒ1は炭素数１〜６のアルキル基、Ｒ2は炭素数２又は３のアルキレン基、Ｒ3は水素原子又は炭素数１〜６のアルキル基、ｎは平均値で１０〜１０００の数を示す。］【選択図】  なし【特許請求の範囲】
【請求項１】
（ａ）下記式（Ｉ）で表される化合物の少なくとも１種、及び（ｂ）水を含有する繊維製品のしわ除去組成物。
Ｒ1−Ｏ−(Ｒ2−Ｏ)n−Ｒ3          （Ｉ）
［式中、Ｒ1は炭素数１〜６の直鎖もしくは分岐鎖アルキル基、Ｒ2は炭素数２又は３の直鎖もしくは分岐鎖アルキレン基、Ｒ3は水素原子又は炭素数１〜６の直鎖もしくは分岐鎖アルキル基、ｎは平均値で１０〜１０００の数を示し、ｎ個のＲ2は同一でも異なっていても良い。］
【請求項２】
更に、（ｃ）炭素数１〜５の低級アルコールを含有する請求項１記載の繊維製品のしわ除去組成物。
【請求項３】
更に、（ｄ）界面活性剤を含有する請求項１又は２記載の繊維製品のしわ除去組成物。
【請求項４】
更に、（ｅ）シリコーン化合物を含有する請求項１〜３いずれか記載の繊維製品のしわ除去組成物。
【請求項５】
請求項１〜４いずれか記載の繊維製品のしわ除去組成物をスプレー容器に充填してなる繊維製品のしわ除去物品。
【請求項６】
請求項１〜４いずれか記載の繊維製品のしわ除去組成物を、繊維製品に付与する、繊維製品のしわ除去方法。
【請求項７】
請求項１〜４いずれか記載の繊維製品のしわ除去組成物を、スプレー容器を用いて繊維製品に付与する、繊維製品のしわ除去方法。
【請求項８】
熱処理及び加圧処理を行わない請求項６又は７記載の繊維製品のしわ除去方法。
【請求項９】
下記式（Ｉ）で表される化合物の少なくとも１種のしわ除去剤としての使用。
Ｒ1−Ｏ−(Ｒ2−Ｏ)n−Ｒ3          （Ｉ）
［式中、Ｒ1は炭素数１〜６の直鎖もしくは分岐鎖アルキル基、Ｒ2は炭素数２又は３の直鎖もしくは分岐鎖アルキレン基、Ｒ3は水素原子又は炭素数１〜６の直鎖もしくは分岐鎖アルキル基、ｎは平均値で１０〜１０００の数を示し、ｎ個のＲ2は同一でも異なっていても良い。］
【発明の詳細な説明】
【技術分野】
【０００１】
本発明は、繊維製品のしわを簡便に除去することができる、しわ除去組成物、しわ除去物品及びしわ除去方法に関する。特にアイロンやスチームプレス等の熱処理、加圧処理を行わなくても簡便にしわを除去することができる、しわ除去組成物、しわ除去物品及びしわ除去方法に関する。
【背景技術】
【０００２】
ジャケット、シャツ、ブラウス、スカート、スラックス等の繊維製品は、着用時、あるいは保管時に好ましくないしわができ、美観を損ねることがある。
【０００３】
繊維製品のしわを除去する方法としては、アイロンやスチームプレス等の熱処理、加圧処理による方法が知られている。また、繊維製品に特定量の水等を付着させた後に回転槽内で加熱乾燥するしわ除去方法（例えば特許文献１、２参照）が知られている。しかし、操作技術、器具を必要とし、誰でもが簡便に利用できるものではなく、特に外出先等では利用できなかった。
【０００４】
一方、アイロンやスチームプレス等の熱処理、加圧処理を行わずに簡便に繊維製品のしわを除去する方法として、処理しようとする繊維製品に霧吹き等により水を吹き付けて放置することが知られている。しかし、処理時間、乾燥時間が長く必要であったり、繊維製品の種類によってはしわ除去効果は十分ではなかった。
【０００５】
このため、乾燥時間短縮を目的にしたアルコールと水の使用（例えば特許文献３、４参照）、繊維製品への浸透速度を速めることを目的とした界面活性剤を含むアルコール水溶液の使用（例えば特許文献５参照）、しわ除去効果を高めることを目的とした界面活性剤を含むアルコール水溶液にシリコーンを含有させた組成物の使用（例えば特許文献６参照）等が知られている。
【０００６】
また、非イオン性多価アルコール保湿剤及び塩を含有するしわ減少活性剤（例えば特許文献７参照）、疎水性有機モノマーと親水性強化モノマーのコポリマーを含有するしわ減少活性剤（例えば特許文献８参照）、ヒドロキシ尿素又はヒドロキシアミドを含有する処理組成物（例えば特許文献９参照）、グリセリンのしわ取り剤としての使用（例えば特許文献１０参照）、ヘキシレングリコールやイソプレングリコール等の特定の水溶性溶剤と水とを含有するしわ取り用水性組成物（例えば特許文献１１参照）等が知られている。
【０００７】
また、シリコーン、合成固形粒子、四級アンモニウム化合物等の繊維滑剤によるしわの開放、臭化リチウム、塩化リチウム等のリチウム塩によるしわ抑制効果が知られている（例えば特許文献１２参照）。
【特許文献１】特開２００２−１１５１８２号公報
【特許文献２】特開２００３−２０５６１号公報
【特許文献３】米国特許第３６００３２５号明細書
【特許文献４】米国特許第３４３６７７２号明細書
【特許文献５】米国特許第３６７４６８８号明細書
【特許文献６】特開平１−２９２１８４号公報
【特許文献７】特表２００２−５１３０９５号公報
【特許文献８】特表２００３−５２５３５６号公報
【特許文献９】特開２００２−２１２８７９号公報
【特許文献１０】特開昭６４−６１７４号公報
【特許文献１１】特開平１０−２５６６０号公報
【特許文献１２】特表２００２−５３１７１２号公報
【発明の開示】
【発明が解決しようとする課題】
【０００８】
本発明の課題は、例えばアイロンやスチームプレス等の熱処理、加圧処理を行わなくても繊維製品のしわを簡便に除去することができる、しわ除去組成物、しわ除去物品及びしわ除去方法を提供することにある。
【課題を解決するための手段】
【０００９】
本発明は、（ａ）下記式（Ｉ）で表される化合物（以下化合物（Ｉ）という）の少なくとも１種、及び（ｂ）水を含有する繊維製品のしわ除去組成物、このしわ除去組成物をスプレー容器に充填してなる繊維製品のしわ除去物品、このしわ除去組成物を、繊維製品に付与する、繊維製品のしわ除去方法、化合物（Ｉ）の少なくとも１種のしわ除去剤としての使用に係わる。
【００１０】
Ｒ1−Ｏ−(Ｒ2−Ｏ)n−Ｒ3          （Ｉ）
［式中、Ｒ1は炭素数１〜６の直鎖もしくは分岐鎖アルキル基、Ｒ2は炭素数２又は３の直鎖もしくは分岐鎖アルキレン基、Ｒ3は水素原子又は炭素数１〜６の直鎖もしくは分岐鎖アルキル基、ｎは平均値で１０〜１０００の数を示し、ｎ個のＲ2は同一でも異なっていても良い。］
【発明の効果】
【００１１】
本発明のしわ除去組成物、しわ除去物品及びしわ除去方法は、例えばアイロンやスチームプレス等の熱処理、加圧処理を行わなくても繊維製品のしわを簡便に除去することができる。
【発明を実施するための最良の形態】
【００１２】
本発明の繊維製品のしわ除去組成物は、（ａ）化合物（Ｉ）の少なくとも１種、及び（ｂ）水を含有し、要すれば（ｃ）炭素数１〜５の低級アルコール、要すれば（ｄ）界面活性剤、要すれば（ｅ）シリコーン化合物を含有する。
【００１３】
本発明のしわ除去組成物中、（ａ）成分の含有量は、繊維同士のすべり性を向上させ、繊維間のよじれを低減させ、戻りじわの発生を抑制する観点から、０．０５〜２０質量％が好ましく、０．１〜１０質量％がより好ましく、０．２〜５質量％が更に好ましい。
【００１４】
本発明のしわ除去組成物中、（ｂ）成分の含有量は残部であるが、しわ除去性、使用性の点で、５０質量％以上が好ましく、６０質量％以上がより好ましく、７０質量％以上が更に好ましく、８０質量％以上が特に好ましい。
【００１５】
本発明のしわ除去組成物は、しわ除去性、使用性の点で、（ｃ）成分を含有することが好ましく、（ｃ）成分の含有量は、しわ除去組成物中、０．１〜１０質量％が好ましく、０．５〜８質量％が更に好ましく、１〜６質量％が特に好ましい。
【００１６】
本発明のしわ除去組成物は、しわ除去性、使用性の点で、（ｄ）成分を含有することが好ましく、（ｄ）成分の含有量は、しわ除去組成物中、０．０１〜６質量％が好ましく、０．０５〜４質量％が更に好ましく、０．１〜２質量％が特に好ましい。
【００１７】
本発明のしわ除去組成物は、しわ除去性、使用性の点で、（ｅ）成分を含有することが好ましく、（ｅ）成分の含有量は、しわ除去組成物中、０．０１〜５質量％が好ましく、０．０３〜３質量％が更に好ましく、０．０５〜１質量％が特に好ましい。
【００１８】
本発明の（ａ）成分である化合物（Ｉ）において、Ｒ1は炭素数１〜６の直鎖もしくは分岐鎖アルキル基であり、炭素数１〜３のアルキル基が好ましい。Ｒ2は炭素数２又は３の直鎖もしくは分岐鎖アルキレン基であり、炭素数３のアルキレン基が好ましい。Ｒ3は水素原子又は炭素数１〜６の直鎖もしくは分岐鎖アルキル基であり、水素原子又は炭素数１〜５の直鎖もしくは分岐鎖アルキル基が好ましく、炭素数１〜５の直鎖もしくは分岐鎖アルキル基が更に好ましい。ｎは平均値で１０〜１０００の数を示し、２０〜２００の数が好ましく、５０〜１２０の数が更に好ましい。
【００１９】
化合物（Ｉ）の平均分子量は、しわ除去性、使用性の点で、１０００〜１００００が好ましく、２０００〜８０００がより好ましく、３０００〜６０００が更に好ましい。
【００２０】
尚、化合物（Ｉ）の平均分子量は、ポリエチレングリコールを標準物質として、ゲルパーミエーションクロマトグラフィーにより測定される。
【００２１】
本発明の（ｂ）成分である水は、特に限定されず、通常の水の他、イオン交換水、蒸留水等を用いることができる。
【００２２】
本発明の（ｃ）成分である炭素数１〜５の低級アルコールとしては、しわ除去性等の点で、メタノール、エタノール、２−プロパノールが好ましく、エタノールがより好ましい。
【００２３】
本発明の（ｄ）成分の界面活性剤としては、ポリオキシアルキレンアルキル又はアルケニルエーテル、ポリオキシアルキレンアルキルフェニルエーテル、脂肪酸アルカノールアミド又はそのアルキレンオキサイド付加物、ショ糖脂肪酸エステル、アルキルグルコシド等の非イオン界面活性剤；モノ長鎖アルキル４級アンモニウム塩、ジ長鎖アルキル４級アンモニウム塩、トリ長鎖アルキル４級アンモニウム塩等の陽イオン界面活性剤；アルキルベンゼンスルホン酸又はその塩、アルキル硫酸エステル塩、ポリオキシアルキレンアルキルエーテル硫酸エステル塩、オレフインスルホン酸塩、アルカンスルホン酸塩、脂防酸塩等の陰イオン界面活性剤；アミンオキサイド、スルホベタイン、カルボベタイン等の両性界面活性剤が挙げられ、ＨＬＢ（グリフィン法）が４．０〜１５．０の非イオン界面活性剤、炭素数１０〜１６の１価炭化水素基を１〜３個有する陽イオン界面活性剤、炭素数６〜１４の１価炭化水素基を有する陰イオン界面活性剤から選ばれる少なくとも１種が好ましい。
【００２４】
本発明で特に好ましい界面活性剤は、一般式(II)で表される非イオン界面活性剤である。
【００２５】
Ｒ4−Ｏ−(Ｒ5Ｏ)p−Ｈ   (II)
〔式中、Ｒ4は、炭素数８〜２２、好ましくは１０〜２０の直鎖又は分岐鎖のアルキル基あるいはアルケニル基であり、Ｒ5は炭素数２〜８のアルキレン基であり、好ましくはエチレン基である。また、ｐは平均付加モル数を示す０．５〜３０、好ましくは１〜２０、特に好ましくは１〜１０の数である。〕
一般式(II)で表される化合物としては、例えば式(III)又は(IV)で表される化合物が挙げられる。
【００２６】
Ｒ6−Ｏ−(Ｃ2Ｈ4Ｏ)r−Ｈ   (III)
〔式中、Ｒ6は炭素数１０〜１８の直鎖又は分岐鎖のアルキル基であり、ｒは平均付加モル数を示す１〜１０、好ましくは１〜８の数である。〕
Ｒ7−Ｏ−(Ｃ2Ｈ4Ｏ)s−(Ｃ3Ｈ6Ｏ)t−Ｈ   (IV)
〔式中、Ｒ7は炭素数１０〜１８の直鎖又は分岐鎖のアルキル基であり、ｓ及びｔはそれぞれ平均付加モル数を示し、ｓは１〜１０、ｔは１〜１０の数である。エチレンオキサイドとプロピレンオキサイドは、ランダム付加でもブロック付加でもよく、エチレンオキサイドとプロピレンオキサイドの付加順序は問わない。〕
本発明の（ｅ）成分のシリコーン化合物としては、特に繊維の潤滑剤として用いることができるものが好ましい。具体的には、ジメチルポリシロキサン（以下、ジメチルシリコーンという）、又はジメチルシリコーンの側鎖もしくは末端のメチル基の一部がヒドロキシ基になっているオルガノポリシロキサン（以下、ヒドロキシシリコーンという）、前記ジメチルシリコーン又はヒドロキシシリコーンのメチル基（好ましくは側鎖のメチル基）の一部がメチル基以外の有機基になっているオルガノポリシロキサン（以下、変性シリコーンという）、ジメチルシロキサン鎖の中に有機基が導入されており末端がメチル基以外の有機基になっているオルガノポリシロキサン（以下、末端変性シリコーンという）等が挙げられる。
【００２７】
変性シリコーンのメチル基以外の有機基としては、アミノ基を含む有機基、４級アンモニウム基を含む有機基、アミド基を含む有機基、ポリエーテル基を含む有機基、エポキシ基を含む有機基、カルボキシ基を含む有機基、アルキル基を含む有機基又はハロゲノアルキル基、ハロゲノアルキレン基もしくはハロゲノアリール基を含む有機基、ポリ（Ｎ−アシルアルキレンイミン）鎖を含む有機基等が挙げられる。
【００２８】
これらのシリコーン化合物の中では、シリコーンオイルと呼ばれる０〜４０℃の温度で液状のシリコーン化合物が好ましい。
【００２９】
本発明のしわ除去組成物は、更に、香料、防腐剤、殺菌剤、抗菌剤、酸化防止剤、ハイドロトロープ剤、着色剤、粘度調整剤、ｐＨ調整剤等を配合することができる。
【００３０】
本発明の組成物の好ましい使用形態としては、スプレー容器等を用いた噴霧による使用が挙げられる。
【００３１】
本発明のしわ除去物品は、本発明に係わるしわ除去組成物をスプレー容器に充填してなるものである。本発明の組成物を入れるスプレー容器の噴射ノズルの噴口径は、スプレーのし易さや、噴射された液滴が荒くなく、直線状にスプレーされず、スプレーできる面積が極端に狭くならないために、０．１〜２ｍｍの範囲が好ましく、０．３〜１ｍｍの範囲が更に好ましい。スプレー容器の形状は、しわ除去組成物を泡状、霧状、あるいは微小な液滴状に繊維製品に噴射し得るものであれば、どのような形状のものでもかまわない。スプレー容器の例としては、トリガー式スプレー容器、ポンプ式スプレー容器等の噴射剤を使用しない手動式スプレー装置、噴射剤を用いるエアゾール等が挙げられるが、一般消費者の認知度、経済性、環境適合性等よりトリガー式スプレー容器が好ましく、特に実開平４−３７５５４号公報の第１図に示されているような液垂れや噴霧の均一性に優れる蓄圧式トリガーを用いることが良好である。手動式のスプレー容器を用いる場合、一回の排出量は、好ましくは０．１〜１．２ｇ、より好ましくは０．４〜１．２ｇである。
【００３２】
本発明のしわ除去方法は、上記のような本発明のしわ除去組成物を、繊維製品に付与することにより、繊維製品のしわを除去する方法であり、アイロンがけやスチームプレス等の熱処理や加圧処理を行わなくてもしわを除去することができる。また、必要により熱処理を行ってもよい。
【００３３】
本発明のしわ除去組成物を繊維製品に付与する方法としては、スプレー法が好ましく、噴霧装置を具備する容器に本発明のしわ除去組成物を充填し、繊維製品にスプレーすることが好ましい。噴霧装置としては上記のようなスプレー容器が挙げられる。
【実施例】
【００３４】
実施例１〜６及び比較例１〜３
下記成分を表１に示す割合で混合し、しわ除去組成物を調製した。得られた組成物について、下記方法でしわ取り性を評価した。結果を表１に示す。
【００３５】
＜配合成分＞
（ａ−１）：ポリプロピレングリコールモノブチルエーテル（平均分子量４０００、アルドリッチ社製）
（ａ−２）：ポリエチレングリコールモノメチルエーテル（平均分子量５０００、アルドリッチ社製）
（ｃ−１）：エタノール
（ｄ−１）：炭素数１０〜１４の直鎖第１級アルコールにエチレンオキサイドを平均５モル付加したもの
（ｅ−１）：ＡＢＮ  ＳＩＬＷＥＴ  ＦＺ−２２０３（ジメチルポリシロキサンとポリアルキレンオキサイドの共重合体、日本ユニカー社製）
＜しわ取り性の評価方法＞
ウール生地（ウールサージ、（株）谷頭商店）及び木綿ブロード＃６０（染色試材、（株）谷頭商店）からなる試験布２０ｃｍ×１０ｃｍにイオン交換水をスプレー噴霧して湿潤させた後、試験布を２つ折りにして、４０℃に設定した恒温室内で折り目部分に２ｋｇの重りを載せ、２４時間放置することによってしわをつけ、これをしわ取り評価モデルじわとした。
【００３６】
これらモデルじわのついた試験布に対し、試験布乾燥時重量に対して５０質量％のしわ除去組成物をスプレー容器（キャニヨン製、Ｔ−７５００）で噴霧した後、２５℃／５０％ＲＨの恒温室に１２時間放置し、自然乾燥させた。乾燥終了後、試験布のしわの取れ具合を判定した。
【００３７】
判定はスプレー処理した布と、処理前の布（対照）とを、５名のパネラーに以下の基準で採点してもらい、その平均値を求めて評価点とした。
・しわ判定基準
５：全くしわがない
４：ほとんどしわがない
３：僅かにしわが残っている
２：相当しわが残っている
１：著しくしわが残っている
【００３８】
【表１】
2005256245.tif 000002